【手続補正書】
【提出日】平成18年6月15日(2006.6.15)
【手続補正１】
【補正対象書類名】明細書
【補正対象項目名】特許請求の範囲
【補正方法】変更
【補正の内容】
【特許請求の範囲】
【請求項１】
ステータスがインク交換の可能性がある操作が行われたことを示すか、ステータスがインク交換の可能性がある操作が行われていないことを示すかを判別する判別手段と、
前記判別手段により前記ステータスがインク交換の可能性がある操作が行われていないことを示すと判別された場合、インクカウントのリセット処理を行わず、前記判別手段により前記ステータスがインク交換の可能性がある操作が行われたことを示すと判別された場合、前記インクカウントのリセット処理を行う処理手段と
を有することを特徴とする記録システム。
【請求項２】
前記判別手段は、インクタンクを交換したことを示す指示に基づき、前記ステータスがインク交換の可能性がある操作が行われたことを示すか、前記ステータスがインク交換の可能性がある操作が行われていないことを示すかを判別することを特徴とする請求項１に記載の記録システム。
【請求項３】
記録処理に基づき前記インクカウントを更新する更新手段を更に有することを特徴とする請求項１に記載の記録システム。
【請求項４】
前記処理手段は、
前記判別手段により前記ステータスがインク交換の可能性がある操作が行われていないことを示すと判別された場合、前記インクカウントのリセット処理と前記ステータスをインク交換の可能性がある操作が行われていないことを示す内容に変更する処理を行わず、前記判別手段により前記ステータスがインク交換の可能性がある操作が行われたことを示すと判別された場合、前記インクカウントのリセット処理と前記ステータスをインク交換の可能性がある操作が行われていないことを示す内容に変更する処理を行う処理手段を
有することを特徴とする請求項１に記載の記録システム。
【請求項５】
ステータスに基づき、インクタンクを交換したか利用者に指示させる画面を表示する表示手段と、
利用者からの前記インクタンクを交換したことを示す指示に基づき、ステータスがインク交換の可能性がある操作が行われたことを示すか、前記ステータスがインク交換の可能性がある操作が行われていないことを示すかを判別する判別手段と、
前記判別手段によりステータスがインク交換の可能性がある操作が行われていないことを示すと判別された場合、インクカウントのリセット処理を行わず、前記判別手段によりステータスがインク交換の可能性がある操作が行われたことを示すと判別された場合、インクカウントのリセット処理を行う処理手段と
を有することを特徴とする記録システム。
【請求項６】
ステータスがインク交換の可能性がある操作が行われたことを示すか、ステータスがインク交換の可能性がある操作が行われていないことを示すかを判別する判別ステップと、
前記判別ステップにより前記ステータスがインク交換の可能性がある操作が行われていないことを示すと判別された場合、インクカウントのリセット処理を実行させず、前記判別ステップにより前記ステータスがインク交換の可能性がある操作が行われたことを示すと判別された場合、前記インクカウントのリセット処理を実行させる処理ステップと
を有することを特徴とする記録システムの制御方法。
【請求項７】
前記判別ステップは、インクタンクを交換したことを示す指示に基づき、前記ステータスがインク交換の可能性がある操作が行われたことを示すか、前記ステータスがインク交換の可能性がある操作が行われていないことを示すかを判別することを特徴とする請求項６に記載の記録システムの制御方法。
【請求項８】
記録処理に基づき前記インクカウントを更新する更新ステップを更に有することを特徴とする請求項６に記載の記録システムの制御方法。
【請求項９】
前記処理ステップは、
前記判別ステップにより前記ステータスがインク交換の可能性がある操作が行われていないことを示すと判別された場合、前記インクカウントのリセット処理と前記ステータスをインク交換の可能性がある操作が行われていないことを示す内容に変更する処理を実行させず、前記判別ステップにより前記ステータスがインク交換の可能性がある操作が行われたことを示すと判別された場合、前記インクカウントのリセット処理と前記ステータスをインク交換の可能性がある操作が行われていないことを示す内容に変更する処理を実行させる処理ステップを有することを特徴とする請求項６に記載の記録システムの制御方法。
【請求項１０】
ステータスに基づき、インクタンクを交換したか利用者に指示させる画面を表示する表示ステップと、
利用者からの前記インクタンクを交換したことを示す指示に基づき、ステータスがインク交換の可能性がある操作が行われたことを示すか、前記ステータスがインク交換の可能性がある操作が行われていないことを示すかを判別する判別ステップと、
前記判別ステップによりステータスがインク交換の可能性がある操作が行われていないことを示すと判別された場合、インクカウントのリセット処理を実行させず、前記判別ステップによりステータスがインク交換の可能性がある操作が行われたことを示すと判別された場合、インクカウントのリセット処理を実行させる処理ステップと
を有することを特徴とする記録システムの制御方法。
【請求項１１】
ステータスがインク交換の可能性がある操作が行われたことを示すか、ステータスがインク交換の可能性がある操作が行われていないことを示すかを判別する判別ステップと、
前記判別ステップにより前記ステータスがインク交換の可能性がある操作が行われていないことを示すと判別された場合、インクカウントのリセット処理を実行させず、前記判別ステップにより前記ステータスがインク交換の可能性がある操作が行われたことを示すと判別された場合、前記インクカウントのリセット処理を実行させる処理ステップと
をコンピュータに実行させることを特徴とするプログラム。
【請求項１２】
前記判別ステップは、インクタンクを交換したことを示す指示に基づき、ステータスがインク交換の可能性がある操作が行われたことを示すか、前記ステータスがインク交換の可能性がある操作が行われていないことを示すかを判別することを特徴とする請求項１１に記載のプログラム。
【請求項１３】
記録処理に基づき前記インクカウントを更新する更新ステップを更に有することを特徴とする請求項１１に記載のプログラム。
【請求項１４】
前記処理ステップは、
前記判別ステップにより前記ステータスがインク交換の可能性がある操作が行われていないことを示すと判別された場合、前記インクカウントのリセット処理と前記ステータスをインク交換の可能性がある操作が行われていないことを示す内容に変更する処理を実行させず、前記判別ステップにより前記ステータスがインク交換の可能性がある操作が行われたことを示すと判別された場合、前記インクカウントのリセット処理と前記ステータスをインク交換の可能性がある操作が行われていないことを示す内容に変更する処理を実行させる処理ステップを
有することを特徴とする請求項１１に記載のプログラム。
【手続補正２】
【補正対象書類名】明細書
【補正対象項目名】発明の名称
【補正方法】変更
【補正の内容】
【発明の名称】記録システム、記録システムの制御方法、プログラム
【手続補正３】
【補正対象書類名】明細書
【補正対象項目名】００１３
【補正方法】変更
【補正の内容】
【００１３】
【課題を解決するための手段】
上記の目的を達成するため、本発明にかかる記録システムは、
ステータスがインク交換の可能性がある操作が行われたことを示すか、ステータスがインク交換の可能性がある操作が行われていないことを示すかを判別する判別手段と、
前記判別手段により前記ステータスがインク交換の可能性がある操作が行われていないことを示すと判別された場合、インクカウントのリセット処理を行わず、前記判別手段により前記ステータスがインク交換の可能性がある操作が行われたことを示すと判別された場合、前記インクカウントのリセット処理を行う処理手段と
を有することを特徴とする。